(57)【要約】【課題】ケース本体に蓋体を着脱させる際に要する操作力のばらつきを軽減させることができる替芯ケースを提供すること。【解決手段】替芯Ｌの収容部２ａを備えたケース本体２の開口部２ｄに、前記開口部を覆うように蓋体３が着脱可能に装着される。ケース本体２における開口部２ｄの側面には蓋体係合用の第１凸部５が形成され、前記蓋体３の内側面にはケース本体への係合用の第２凸部９が形成されて、前記第１凸部５を第２凸部９が乗り越えることで、ケース本体に対して蓋体が着脱可能に装着されるように構成される。前記第１凸部５または第２凸部９のうちの一方の凸部上に沿って、金型によるパーティングライン７が形成されると共に、他方の凸部は前記パーティングラインに対向する位置を避けて二分割されて形成される。【選択図】図５
2018012288.tif 000002
【特許請求の範囲】
【請求項１】
替芯の収容部を備えたケース本体の開口部に、前記開口部を覆うように蓋体を着脱可能に装着した替芯ケースであって、
前記ケース本体における開口部の側面には蓋体係合用の第１凸部が形成され、前記蓋体の内側面にはケース本体への係合用の第２凸部が形成されて、前記第１凸部を第２凸部が乗り越えることで、ケース本体に対して蓋体が着脱可能に装着されるように構成され、
前記第１凸部または第２凸部のうちの一方の凸部上に沿って、金型によるパーティングラインが形成されると共に、他方の凸部は前記パーティングラインに対向する位置を避けて形成されていることを特徴とする替芯ケース。
【請求項２】
前記パーティングラインに対向する位置を避けて形成された前記他方の凸部は、直線状に成形された凸部の一部が不連続にされて、二分割されていることを特徴とする請求項１に記載の替芯ケース。
【請求項３】
前記パーティングラインが前記ケース本体に形成された場合において、前記パーティングラインはケース本体の開口部で分断されていることを特徴とする請求項１または請求項２に記載の替芯ケース。
【請求項４】
ケース本体の長手方向に直交する方向の前記収容部の内側面の曲率が、当該収容部に収容される替芯の曲率よりも大きいことを特徴とする請求項１ないし請求項３のいずれか１項に記載の替芯ケース。
【発明の詳細な説明】
【技術分野】
【０００１】
この発明は、シャープペンシル等に用いられる筆記芯を収容する替芯ケースに関する。
【背景技術】
【０００２】
シャープペンシル等に用いられる筆記芯を収容する替芯ケースは、ケース本体と、このケース本体の開口部に着脱可能に装着される蓋体との二部品により構成されている例が多い。例えば特許文献１に開示された替芯ケースも、樹脂素材によるケース本体と、樹脂素材による蓋体との二部品により構成されており、ケース本体の開口部付近には、蓋体を嵌合させるための凸状の嵌合部が形成されている。
そして、金型成形によって残されるパーティングラインが、前記凸状の嵌合部の形成位置を避けるようにした構成が採用されている。
【０００３】
この構成によると、ケース本体に形成された凸状の嵌合部にパーティングラインによるバリが形成されることがないので、前記バリの存在によるケース本体の嵌合部と蓋体との間における嵌合力の不安定化を避けることができる。これにより、特許文献１に開示された替芯ケースによると、ケース本体と蓋体との間の嵌合力にばらつきのない替芯ケースを提供することが可能となる。
【先行技術文献】
【特許文献】
【０００４】
【特許文献１】特開２０１０−１７３２４８号公報
【発明の概要】
【発明が解決しようとする課題】
【０００５】
ところで、前記したケース本体を樹脂成形するにあたっては、一般にケース本体の長手方向に直交する方向に金型が分割される（開かれる）ように設計される。
しかし、前記したようにケース本体の開口部付近に形成される凸状の嵌合部を避けて金型の合わせ目、すなわちパーティングラインを位置させようとすると、前記した凸状の嵌合部の離型に無理が発生する。このために樹脂の可撓性を利用していわゆる無理抜きにより一部（凸状の嵌合部）を離型させる必要が生ずるなど、ケース本体を安定して樹脂成形することに困難を伴う問題が発生する。
【０００６】
この発明は、前記した技術的な観点に基づいてなされたものであり、離型の問題を含めてケース本体を安定して樹脂成形することができると共に、ケース本体と蓋体との間の嵌合力のばらつき、すなわちケース本体に蓋体を着脱させる際に要する操作力のばらつきを軽減させることができる替芯ケースを提供することを課題とするものである。
【課題を解決するための手段】
【０００７】
前記した課題を解決するためになされたこの発明に係る替芯ケースは、替芯の収容部を備えたケース本体の開口部に、前記開口部を覆うように蓋体を着脱可能に装着した替芯ケースであって、前記ケース本体における開口部の側面には蓋体係合用の第１凸部が形成され、前記蓋体の内側面にはケース本体への係合用の第２凸部が形成されて、前記第１凸部を第２凸部が乗り越えることで、ケース本体に対して蓋体が着脱可能に装着されるように構成され、前記第１凸部または第２凸部のうちの一方の凸部上に沿って、金型によるパーティングラインが形成されると共に、他方の凸部は前記パーティングラインに対向する位置を避けて形成されていることを特徴とする。
【０００８】
この場合、パーティングラインに対向する位置を避けて形成された前記他方の凸部は、好ましくは直線状に成形された凸部の一部が不連続にされて、二分割された構成になされる。加えて、前記パーティングラインが前記ケース本体に形成された場合においては、前記パーティングラインはケース本体の開口部で分断されていることが望ましい。
【０００９】
さらに、ケース本体の長手方向に直交する方向の前記収容部の内側面の曲率が、当該収容部に収容される替芯の曲率よりも大きく設定されていることが望ましい。
【発明の効果】
【００１０】
前記したこの発明に係る替芯ケースによると、ケース本体に形成された第１凸部を、蓋体に形成された第２凸部が乗り越えることで、ケース本体に対して蓋体が着脱可能に装着される。
この場合、前記第１凸部または第２凸部のうちの一方の凸部に沿って、金型によるパーティングラインが形成されると共に、他方の凸部は前記パーティングラインに対向する位置を避けて形成されるので、特にパーティングラインにおいて生ずるバリ等が、第１凸部と第２凸部の間に介在するのを効果的に防止することができる。
【００１１】
これにより、ケース本体と蓋体との間の嵌合力のばらつき、すなわちケース本体に蓋体を着脱させる際に要する操作力のばらつきを軽減させることができ、この種の商品の品質向上に貢献することができる。
さらに、この発明に係る替芯ケースによると、ケース本体に対して蓋体を着脱可能にする一方の凸部に沿って、金型によるパーティングラインを形成することができるので、前記凸部を含めて、いわゆる無理抜きなどの離型操作の必要のない樹脂成形を実現することができる。
【図面の簡単な説明】
【００１２】
【図１】この発明に係る替芯ケースの斜視図である。
【図２】図１に示す替芯ケースの軸方向に沿った中央断面図である。
【図３】蓋体を外したケース本体の正面図である。
【図４】同じくケース本体の側面図である。
【図５】ケース本体の先端開口部付近を拡大して示した斜視図である。
【図６】図２におけるＡ−Ａ線より矢印方向に見た拡大断面図である。
【図７】蓋体を先端部側から見た斜視図である。
【図８】蓋体を開口部側から見た斜視図である。
【図９】蓋体の軸方向に沿った中央断面図である。
【発明を実施するための形態】
【００１３】
この発明に係る替芯ケースについて、図に基づいて説明する。
図１に替芯ケースの全体構成を示しており、この替芯ケース１は替芯を収容するケース本体２と、このケース本体２の先端部に形成された開口を覆うようにケース本体２に着脱可能に取り付けられた蓋体３より構成している。
ケース本体２は、図１〜図４に示すように長尺状に形成されて、内部に替芯の収容部２ａが形成されており、外郭を構成する前面部および背面部による幅方向の寸法が、左右の側面部による厚さ方向の寸法よりも若干大きくされて概ね直方体状に形成されている。
【００１４】
そして、ケース本体２の外郭を構成する前面部および背面部と左右の側面部が交差する各隅角部には、図６に断面図で示したように適度な面取りが施されている。また図１および図３に示されているように、特にケース本体２の前面部は、その先端部から下端部に向かうにしたがって、前記面取り幅が大きくなるように構成されている。
これにより、ケース本体２の前面部は、先端部から下端部に向かうにしたがって、幅が除々に狭くなる意匠形態にされている。
【００１５】
ケース本体２の先端部は、前記した前面部および背面部と左右の両側面部の寸法が、若干縮小されることで、図３および図４に示されているとおり段部２ｂが形成されて、その先が角筒状になされている。この角筒状に成形された部分が、前記蓋体３の取り付け部２ｃを構成している。
そして、角筒状の蓋体取り付け部２ｃに、前記蓋体３の開口部３ａが軸方向に沿って装着されることにより、図１に示すようにケース本体２と蓋体３が組み合わされた替芯ケース１が形成される。
【００１６】
前記した角筒状の蓋体取り付け部２ｃには、図３および図４に示されているように左右の両側面に、一対の小突起による凸部（第１凸部）５が、蓋体取り付け部２ｃの両外側に向かって形成されている。この左右一対の凸部５は、前記蓋体３の内側面に接して、蓋体３を着脱可能に支持する機能を果たすものとなる。
また、前記段部２ｂに沿って、先端部側がテーパ面になされた膨出部６が、前記凸部５の直後に形成されており、このテーパ面を備えた膨出部６は、装着された蓋体３の開口縁に接して、ケース本体２に対して蓋体３が、がたつきなく支持されるように作用するものとなる。
【００１７】
さらに、角筒状になされた蓋体取り付け部２ｃの先端部側は、背面から前面に向かって左右の側面が斜めに傾斜した開口部２ｄを構成しており、前面に向かって斜めにカットされたケース開口部２ｄは、ケース本体２の収容部２ａに収容された替芯Ｌを、指先で取り出し易くしている。
なお、前記ケース本体２の外郭を形成する前面部および背面部の下端部付近には、替芯収容部２ａに連通する貫通孔２ｅがそれぞれ形成されている。
【００１８】
この実施の形態におけるケース本体２には、金型成形によって残されるパーティングライン７が、図５に鎖線で示すように形成されている。すなわち、パーティングライン７は、左右の両側面部から蓋体取り付け部２ｃに形成された膨出部６および凸部５のほぼ中央を通るように形成されると共に、先端部のケース開口部２ｄでパーティングライン７が左右で分断されている。
前記したパーティングライン７に沿った成形金型の合わせ目とすることで、前記した膨出部６および凸部５の離型を容易にすることができると共に、ケース開口部２ｄ付近に、パーティングライン７と共にバリが残されることにより、指先等に障害を与える問題も回避することができる。
【００１９】
一方、前記蓋体３は、図７〜図９に示すように外形形状が直方体状に形成されており、蓋体３の外郭を構成する前面部および背面部による幅方向の寸法と、左右の側面部による厚さ方向の寸法は、それぞれケース本体２の各寸法と同様になされている。
これにより、図１に示したようにケース本体２と、これに取り付けられた蓋体３とは、互いに面一の状態になされる。
【００２０】
そして蓋体３には、その開口部３ａから内側に向かって、矩形状の空間が形成されており、矩形状の空間内における左右の内側面には、ケース本体２への係合用の凸部（第２凸部）９が互いに対向するように形成されている。
この凸部９は頂部（稜線）が円弧状に形成されており、この円弧状の凸部９が、ケース本体２に形成された蓋体係合用の第１凸部５を所定の操作力を受けて乗り越えることにより、ケース本体２に対して蓋体３が着脱される。
【００２１】
また、蓋体３の内側面に形成された前記凸部９は、ケース本体２の前記したパーティングライン７に対向する位置を避けて形成されている。すなわち前記凸部９は、図８および図９に示すように、その一部が不連続にされて二分割されている。
なお符号９ａは、前記凸部９の不連続部を示しており、この蓋体３がケース本体２に装着された場合、ケース本体２のパーティングライン７は、前記凸部９の不連続部９ａに位置することになる。
【００２２】
これにより、ケース本体２に対する蓋体３の着脱時において、ケース本体２のパーティングライン７において生ずるバリ等が、第１凸部５と第２凸部９の間に介在するのを避けることができる。したがって、ケース本体２と蓋体３との間の嵌合力のばらつき、すなわちケース本体２に対して蓋体３を着脱させる際に要する操作力のばらつきを軽減させることができ、この種の商品の品質向上に貢献することができる。
【００２３】
なお前記蓋体３には、図１および図７に示されているように、通気孔３ｃが天面の２か所において形成されている。そして、蓋体３の前面部および背面部には、対向するように凹溝３ｂがそれぞれストライプ状に施されており、この凹溝３ｂは指先で蓋体３を把持した場合の滑り防止の機能を果たすものとなる。
【００２４】
図６は、ケース本体２に形成された替芯収容部２ａと、この収容部２ａに収容される替芯Ｌとの好ましい関係を説明するものである。
すなわち、ケース本体２の長手方向に直交する方向の替芯収容部２ａの形態は、ケース本体２の外郭形状に対応して、図６に示すように概ね矩形状に成形されている。この場合、前記収容部２ａの内側面の曲率、すなわち収容部２ａのコーナー部Ｃ１の曲率は、この収容部２ａに収容される替芯Ｌの曲率よりも大きく設定されていることが望ましい。
【００２５】
替芯Ｌの曲率と替芯収容部２ａの内側面の曲率（コーナー部Ｃ１の曲率）の関係を、前記のように設定することで、替芯Ｌは替芯収容部２ａ内において、替芯Ｌの長手方向の線上の一か所において、替芯収容部２ａに接触することになる。これにより替芯Ｌが収容部２ａ内に静電気により張り付く度合いを軽減することに寄与できる。
【００２６】
以上説明した実施の形態においては、ケース本体２における第１凸部５にパーティングライン７が形成され、蓋体３に形成される第２凸部９は、前記パーティングライン７を回避するよう二分割した構成にされている。しかしこれとは逆に、蓋体３の第２凸部９は一つの直線状に形成されると共に、この上にパーティングラインが形成され、ケース本体２の第１凸部５は、前記パーティングラインを回避するよう二分割した構成にされていても、同様の作用効果を得ることができる。
【符号の説明】
【００２７】
１    替芯ケース
２    ケース本体
２ａ  替芯収容部
２ｂ  段部
２ｃ  蓋体取り付け部
２ｄ  ケース開口部
２ｅ  貫通孔
３    蓋体
３ａ  蓋体開口部
３ｂ  滑り止め凹溝
５    凸部（第１凸部）
６    膨出部
７    パーティングライン
９    円弧状凸部（第２凸部）
９ａ  不連続部
Ｃ１  コーナー部
Ｌ    替芯
【図１】
2018012288.tif 000003
【図２】
2018012288.tif 000004
【図３】
2018012288.tif 000005
【図４】
2018012288.tif 000006
【図５】
2018012288.tif 000007
【図６】
2018012288.tif 000008
【図７】
2018012288.tif 000009
【図８】
2018012288.tif 000010
【図９】
2018012288.tif 000011